(57)【特許請求の範囲】
【請求項１】
枠体と、この枠体に開閉自在に支持される面材と、開放した前記面材に当接して当該面材の開放移動を規制する当接部材とを備えた建具であって、
前記枠体は、前記当接部材と当接可能な第１および第２の当接部を含んだ複数の当接部を有して構成され、
前記当接部材は、前記第１および第２の当接部にそれぞれ当接する第１および第２の被当接部を含んだ複数の被当接部を有して構成され、
前記開放した面材が前記当接部材に当接した際に、前記第１当接部と前記第１被当接部とが当接して当該第１当接部および第１被当接部のうち少なくとも一方が変形することで、前記第２当接部と前記第２被当接部とが当接する建具。
【請求項２】
前記第１当接部は、前記面材の開放方向に向かって互いが近づくように傾斜した一対の傾斜当接面部を有して形成され、
前記第１被当接部は、前記傾斜当接面部に当接可能な傾斜被当接面部を有して形成されている請求項１に記載の建具。
【請求項３】
前記枠体が樹脂製であり、
前記第１当接部が変形することで、前記第２当接部と前記第２被当接部とが当接可能に構成されている請求項１または請求項２に記載の建具。
【請求項４】
前記枠体には、見込み方向に対向する一対の見付け面部と、これら一対の見付け面部間に位置する中空部とが形成され、
前記第１当接部は、前記一対の見付け面部のうちの一方において、中空部と見込み方向で重なる位置に形成されている請求項１から請求項３のいずれかに記載の建具。
【発明の詳細な説明】
【技術分野】
【０００１】
本発明は、建具に関し、詳しくは、枠体に開閉自在に支持される面材を有した引違い窓や片引き窓等の建具に関する。
【背景技術】
【０００２】
従来、引違い窓等の建具において、開放された障子（面材）の戸尻側縦框と縦枠とが衝突しないように、適宜な引き残し寸法が設定され、その設定位置において障子ストッパー等で障子の開放移動が規制されるようになっている（例えば、特許文献１、２参照）。
特許文献１、２に記載された建具では、障子ストッパーの役割を担う戸当たりブロックまたはツマミ部材が縦枠に当接するように配置され、これらの戸当たりブロックまたはツマミ部材に障子の縦枠が当接して開放移動が規制される。
【先行技術文献】
【特許文献】
【０００３】
【特許文献１】特開２００２−１８０７５１号公報
【特許文献２】特開２００２−１９４９５５号公報
【発明の概要】
【発明が解決しようとする課題】
【０００４】
しかしながら、前記特許文献１、２に記載された建具では、縦枠の見込み面に対して障子ストッパーの側面のみが当接するため、障子を開放した際に障子ストッパーにかかる衝撃の全荷重が縦枠の見込み面に集中して作用することにより、障子ストッパーや縦枠が破損する可能性がある。
【０００５】
本発明の目的は、枠体や構成部品の破損を防止することができる建具を提供することにある。
【課題を解決するための手段】
【０００６】
本発明の建具は、枠体と、この枠体に開閉自在に支持される面材と、開放した前記面材に当接して当該面材の開放移動を規制する当接部材とを備えた建具であって、前記枠体は、前記当接部材と当接可能な第１および第２の当接部を含んだ複数の当接部を有して構成され、前記当接部材は、前記第１および第２の当接部にそれぞれ当接する第１および第２の被当接部を含んだ複数の被当接部を有して構成され、前記開放した面材が前記当接部材に当接した際に、前記第１当接部と前記第１被当接部とが当接して当該第１当接部および第１被当接部のうち少なくとも一方が変形することで、前記第２当接部と前記第２被当接部とが当接することを特徴とする。
【０００７】
ここで、本発明の建具としては、引違い窓や、片引き窓、引分け窓など１枚または２枚以上の面材が左右開閉自在に設けられた出入口や窓等の建具であってもよいし、上げ下げ窓のように面材が上下開閉自在に設けられた窓等の建具であってもよい。
以上の本発明によれば、面材が開放された際に、枠体と当接部材とが少なくとも２段階で当接することで、当接部材にかかる荷重が複数段階かつ複数箇所に分散され、各当接部や被当接部にかかる荷重を緩和することができ、枠体および当接部材の破損を防止することができる。なお、当接部および被当接部を３組以上で構成した場合には、第２当接部と第２被当接部との当接によって、第２当接部および第２被当接部の少なくとも一方が変形することで、第３当接部と第３被当接部とが当接可能に構成されていればよく、第４の当接部および被当接部以降に関しても同様に、互いに順次当接していくように構成されていればよい。
【０００８】
さらに、本発明の建具では、前記第１当接部は、前記面材の開放方向に向かって互いが近づくように傾斜した一対の傾斜当接面部を有して形成され、前記第１被当接部は、前記傾斜当接面部に当接可能な傾斜被当接面部を有して形成されていることが好ましい。
このような構成によれば、面材を開放して傾斜当接面部と傾斜被当接面部とが当接した際、互いの当接力が面材の開放方向のみならず見込み方向にも作用することとなり、第１当接部や第１被当接部が変形しやすい状態となるとともに、傾斜当接面部と傾斜被当接面部とが摺接するような当接状態にすることもできるので、この後の第２当接部と第２被当接部とを確実に当接させることができ、複数段階の当接動作を確実に起こさせることができる。
【０００９】
また、本発明の建具では、前記枠体が樹脂製であり、前記第１当接部が変形することで、前記第２当接部と前記第２被当接部とが当接可能に構成されていることが好ましい。
このような構成によれば、第１当接部と第１被当接部とが当接した際に、樹脂製の第１当接部が変形しやすくなっているので、その後の第２当接部と第２被当接部とを確実に当接させることができる。また、枠体が樹脂製の場合、金属製と比較して剛性や強度が劣るものの、前述のように複数箇所に荷重を分散しやすくできるので、枠体の耐衝撃性を向上させて破損を防止することができる。
【００１０】
さらに、本発明の建具では、前記枠体には、見込み方向に対向する一対の見付け面部と、これら一対の見付け面部間に位置する中空部とが形成され、前記第１当接部は、前記一対の見付け面部のうちの一方において、中空部と見込み方向で重なる位置に形成されていることが好ましい。
このような構成によれば、中空部を構成する見付け面部に第１当接部を形成することで、第１当接部が変形しやすくでき、枠体が変形しにくい材料で形成された場合であっても、第１当接部に第１被当接部が当接した際に見付け面部を中空部側に撓ませるような変形が生じやすくなり、その後の第２当接部と第２被当接部とを確実に当接させることができる。
【図面の簡単な説明】
【００１１】
【図１】本発明の実施形態に係る建具を示す縦断面図である。
【図２】前記建具を示す横断面図である。
【図３】前記建具の枠体の一部を拡大して示す横断面図である。
【図４】前記枠体に設けられる障子ストッパーを示す斜視図である。
【図５】前記障子ストッパーの動作を示す横断面図である。
【発明を実施するための形態】
【００１２】
以下、本発明の一実施形態に係る建具としての引違い窓１を図面に基づいて説明する。
図１および図２において、引違い窓１は、戸建て住宅等における外壁開口部に設けられて建物の室内空間と室外空間とを仕切る窓であって、上枠２、下枠３および左右の縦枠４を四周枠組みした枠体としての窓枠５と、この窓枠５の内部に左右開閉自在に支持された室内外一組の面材としての障子６，７と、屋外側障子７よりも屋外側にて窓枠５に左右移動自在に支持された網戸８とを備えて構成されている。屋内側障子６および屋外側障子７は、それぞれ上框１１、下框１２および左右の縦框１３を四周框組みした内部に、ガラスパネル（複層ガラス）１４を嵌め込んで構成されている。網戸８は、それぞれアルミ形材製の上框１５、下框１６および左右の縦框１７を四周框組みした内部に防虫ネット１８を取り付けて構成されている。
【００１３】
窓枠５における上枠２、下枠３および左右の縦枠４は、それぞれ樹脂製の枠本体２Ａ，３Ａ，４Ａを有して構成され、下枠３の枠本体３Ａには、アルミ形材製の内レール部材３Ｂおよび外レール部材３Ｃが取り付けられ、これらのレール部材３Ｂ，３Ｃにそれぞれ案内されることで、屋内側障子６および屋外側障子７が左右に開閉移動できるようになっている。一方、屋内側障子６および屋外側障子７における上框１１、下框１２および左右の縦框１３は、それぞれ樹脂製の框本体１１Ａ，１２Ａ，１３Ａと、樹脂製の押縁材１１Ｂ，１２Ｂ，１３Ａとを有して構成され、框本体１１Ａ，１２Ａ，１３Ａと押縁材１１Ｂ，１２Ｂ，１３Ａとで挟持することによってガラスパネル１４が保持されている。
【００１４】
下枠３の枠本体３Ａは、見込み方向に延びる下枠底面部３１と、この下枠底面部３１の下方に対向する下面部３２と、下枠底面部３１の屋内側端部から立ち上がる屋内側立上り片部３３と、室内外の障子６，７間にて下枠底面部３１から立ち上がる中間立上り片部３４と、下枠底面部３１の屋外側端部から立ち上がる屋外側立上り片部３５と、屋外側立上り片部３５の屋外側に対向して立ち上がるとともに網戸８を支持する網戸レール部３７とを有して形成されている。また、下枠３の枠本体３Ａには、下枠底面部３１と屋内側立上り片部３３と中間立上り片部３４とで三方を囲まれて上方に開口した屋内障子支持部３Ｄが構成され、下枠底面部３１と中間立上り片部３４と屋外側立上り片部３５とで三方を囲まれて上方に開口した屋外障子支持部３Ｅが構成されている。また、屋内側立上り片部３３の屋外側および中間立上り片部３４の屋内側の基端部には、対向する位置に略台形状の下枠係止突起３８がそれぞれ形成され、中間立上り片部３４の屋外側および屋外側立上り片部３５の屋内側の基端部には、対向する位置に略台形状の下枠係止突起３８がそれぞれ形成されている。
【００１５】
縦枠４の枠本体４Ａは、下枠３の枠本体３Ａと略同様の断面を有するものであって、見込み方向に延びる縦枠見込み面部４１と、この縦枠見込み面部４１の見付け方向外側に対向する側面部４２と、縦枠見込み面部４１の屋内側端部から見付け方向内側に延出する屋内側延出片部４３と、室内外の障子６，７間にて縦枠見込み面部４１から見付け方向内側に延出する中間延出片部４４と、縦枠見込み面部４１の屋外側端部から見付け方向内側に延出する屋外側延出片部４５と、屋外側延出片部４５の屋外側に対向して見付け方向内側に延出する網戸引寄せ片部４７とを有して形成されている。また、縦枠４の枠本体４Ａには、縦枠見込み面部４１と屋内側延出片部４３と中間延出片部４４とで三方を囲まれて見付け方向内側に開口した屋内凹溝部４Ｄが構成され、縦枠見込み面部４１と中間延出片部４４と屋外側延出片部４５とで三方を囲まれて見付け方向内側に開口した屋外凹溝部４Ｅが構成されている。
【００１６】
また、図３に示すように、屋内側延出片部４３は、見付け方向内側に延出する一対の見付け面部４３１の間に中空部４３２が形成され、中間延出片部４４は、見付け方向内側に延出する一対の見付け面部４４１の間に中空部４４２が形成されている。また、屋内側延出片部４３の屋外側の見付け面部４３１の基端側、および中間延出片部４４の屋内側の見付け面部４４１の基端側には、互いの見込み方向に対向する位置に断面略台形状の一対の縦枠係止突起４８がそれぞれ形成されている。また、中間延出片部４４の屋外側の見付け面部４４１の基端側、および屋外側延出片部４５の基端側にも、互いの見込み方向に対向する位置に断面略台形状の一対の縦枠係止突起４８がそれぞれ形成されている。これらの対向する一対の縦枠係止突起４８は、屋内側障子６の開放方向（縦枠４の見つけ方向外側）に向かって互いが近づくように傾斜した傾斜当接面部４８１を有して形成されている。
【００１７】
また、屋内側障子６の開放方向側（図２の左側）に位置する屋内障子支持部３Ｄおよび屋内凹溝部４Ｄには、開放した屋内側障子６の縦框１３の下端部側面に当接して当該屋内側障子６の開放移動を規制する屋内側の障子ストッパー２０が取り付けられている。また、屋外側障子７の開放方向側（図２の右側）に位置する屋外障子支持部３Ｅおよび屋外凹溝部４Ｅには、開放した屋外側障子７の縦框１３の下端部側面に当接して当該屋外側障子７の開放移動を規制する屋外側の障子ストッパー２０が取り付けられている。これら２つの障子ストッパー２０は略同様の構成であるとともに、略同様の方法で窓枠５に取り付けられているため、以降では、屋内側の障子ストッパー２０について説明する。
【００１８】
障子ストッパー２０は、図４に示すように、樹脂製の一体成形部品であって、屋内側障子６に当接可能なストッパー本体２１と、縦枠４の屋内凹溝部４Ｄに係止される一対の係止片部２２と、下枠３の屋内障子支持部３Ｄに支持される一対の支持片部２３とを有して形成されている。ストッパー本体２１は、開放した屋内側障子６の縦框１３下端部側面に当接する障子当接面部２４と、障子当接面部２４に対向し縦枠見込み面部４１に当接する縦枠当接面部２５と、障子当接面部２４と縦枠当接面部２５の端部を連結して互いに対向する一対の側面部２６とを有して形成されている。一対の側面部２６における縦枠当接面部２５近傍には、屋内側障子６の開放方向（縦枠当接面部２５に向かう方向）に向かって互いが近づくように傾斜した傾斜被当接面部２７が形成されている。このような障子ストッパー２０は、縦枠当接面部２５側の過半の部分が屋内凹溝部４Ｄに挿入されるとともに、その略全体が屋内障子支持部３Ｄに挿入され、一対の係止片部２２が一対の縦枠係止突起４８にそれぞれ係止され、かつ一対の支持片部２３が一対の下枠係止突起３８にそれぞれ係止されることで、下枠３および縦枠４の交差部に取り付けられている。
【００１９】
以上のような縦枠４および障子ストッパー２０において、一対の縦枠係止突起４８によって第１当接部が構成され、縦枠見込み面部４１の一部であり屋内凹溝部４Ｄの底面を形成する凹溝底面部４９によって第２当接部が構成されるとともに、一対の傾斜被当接面部２７によって第１被当接部が構成され、縦枠当接面部２５によって第２被当接部が構成されている。すなわち、屋内側障子６が開放されると、屋内側障子６の縦框１３の下端部側面が障子ストッパー２０の障子当接面部２４に当接することで、障子ストッパー２０に対して障子６の開放方向（図３の左方向）に荷重が作用する。この荷重により、先ず、縦枠係止突起４８（第１当接部）の傾斜当接面部４８１と障子ストッパー２０の傾斜被当接面部２７（第１被当接部）とが当接する。さらに、開放方向にかかる荷重によって、図５に示すように、縦枠係止突起４８が開放方向（縦枠見込み面部４１側）に変形し、この変形によりストッパー本体２１が開放方向に移動する。この移動により、凹溝底面部４９（第２当接部）と縦枠当接面部２５（第２被当接部）とが当接するようになっている。この際、縦枠係止突起４８の傾斜当接面部４８１が開放方向に傾斜していることから、縦枠係止突起４８が開放方向に変形しやすく、また、傾斜当接面部４８１に対して傾斜被当接面部２７が摺接するように動作し、障子ストッパー２０の開放方向への移動を容易にしている。さらに、見付け面部４３１，４４１の背面に中空部４３２，４４２が形成されていることで、傾斜当接面部４８１に傾斜被当接面部２７が当接した際の荷重が中空部４３２，４４２側にも分散され、この荷重により見付け面部４３１，４４１を中空部４３２，４４２側に撓ませるような変形が生じやすくなっている。つまり、縦枠係止突起４８が中空部４３２，４４２と見込み方向で重なる位置（見込み方向で対向する位置）に形成されているため、縦枠係止突起４８が見込み方向に移動しやすくなっている。
【００２０】
また、障子ストッパー２０は、傾斜当接面部４８１と傾斜被当接面部２７とが当接する１回目の当接と、凹溝底面部４９と縦枠当接面部２５とが当接する２回目の当接とが時間差を有するように支持されている。すなわち、障子６が障子ストッパー２０に当接しない状態では、傾斜当接面部４８１と傾斜被当接面部２７とが当接していない状態または軽く当接した状態であり、障子６が縦枠当接面部２４に当接した際の開放方向への荷重により、傾斜当接面部４８１と傾斜被当接面部２７とが強く当接する。この１回目の当接状態では、凹溝底面部４９と縦枠当接面部２５とが当接せず、開放方向への荷重により縦枠係止突起４８が開放方向に変形することで、障子ストッパー２０が開放方向へ移動し、凹溝底面部４９と縦枠当接面部２５とが当接（２回目の当接）する。このように障子ストッパー２０と縦枠４とが２段階で当接することで、障子６からの衝撃を縦枠係止突起４８、凹溝底面部４９、傾斜被当接面部２７、および縦枠当接面部２５の複数箇所で分散できるようになっている。
【００２１】
以上の実施形態によれば、縦枠係止突起４８の傾斜当接面部４８１と障子ストッパー２０の傾斜被当接面部２７とが当接した後に、縦枠係止突起４８が変形して凹溝底面部４９と縦枠当接面部２５とが当接することから、開放した障子６の荷重を２段階かつ複数箇所に分散させて縦枠４に伝達することができる。従って、縦枠４および障子ストッパー２０の各部にかかる荷重を緩和することができ、縦枠４および障子ストッパー２０の破損を防止することができる。特に、縦枠４の枠本体４Ａが樹脂製であることから、縦枠４の耐衝撃性を向上させて破損を防止することができる。また、１回目の当接で縦枠係止突起４８が変形することにより障子ストッパー２０が開放方向へ移動し、この移動によって２回目の当接が行われることから、縦枠４と障子ストッパー２０とを確実に２段階に分散させることができる。
【００２２】
なお、本発明は、前記実施形態に限定されるものではなく、本発明の目的を達成できる他の構成等を含み、以下に示すような変形等も本発明に含まれる。
例えば、前記実施形態においては、室内外一対の障子６，７を有する引違い窓１を例示して説明したが、本発明の建具は、例えば、屋内側障子６を窓枠５に移動不能に固定した外動片引き窓であってもよいし、固定障子に代えて壁パネル等の固定面材を有した外動片引き窓であってもよく、さらには、一対の可動面材が引き分け形式で開閉自在に支持された引き分け窓であってもよいし、面材が上下開閉自在に設けられた上げ下げ窓であってもよい。
【００２３】
また、前記実施形態では、枠体である窓枠５の上枠２、下枠３および縦枠４が樹脂製の枠本体２Ａ，３Ａ，４Ａを有し、面材である障子６，７の上框１１、下框１２および縦框１３が樹脂製の框本体１１Ａ，１２Ａ，１３Ａおよび押縁材１１Ｂ，１２Ｂ，１３Ａを有して構成された樹脂建具を例示したが、本発明の建具において、枠体の枠材や面材の框材は樹脂製でなく金属製であってもよい。
また、前記実施形態では、縦枠係止突起４８が変形する例を示したが、障子ストッパー２０の傾斜被当接面部２７が変形する構成でもよいし、縦枠係止突起４８と障子ストッパー２０の両方が変形する構成でもよい。
さらに、前記実施形態では、２段階の当接により荷重を分散させる構成を示したが、これに限られず、３段階、４段階、またはそれ以上の段階に分けて当接させる構成としてもよい。例えば、３段階で当接させる場合は、第２当接部に第２被当接部が当接することで第２当接部または第２被当接部が変形し、この変形により第３当接部と第３被当接部とを当接させる構成とすればよい。
【００２４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２５】
１…引違い窓（建具）、３…下枠、４…縦枠、４１…縦枠見込み面部、４３…屋内側立上り片部、４３１…見付け面部、４３２…中空部、４４…中間立上り片部、４４１…見付け面部、４４２…中空部、４８…縦枠係止突起、４８１…傾斜当接面部（第１当接部）、４９…凹溝底面部（第２当接部）、４Ｄ…屋内凹溝部、５…窓枠（枠体）、６…屋内側障子（面材）、２０…障子ストッパー（当接部材）、２１…ストッパー本体、２２…係止片部、２３…支持片部、２４…障子当接面部、２５…縦枠当接面部（第２被当接部）、２７…傾斜被当接面部（第１被当接部）。
【図１】
0005314642.tif 000002
【図２】
0005314642.tif 000003
【図３】
0005314642.tif 000004
【図４】
0005314642.tif 000005
【図５】
0005314642.tif 000006